(57)【要約】  本発明は、インターベンショナル治療をモニタリングする医用インターベンショナル撮像デバイス１に関する。医用インターベンショナル撮像デバイス１は、医用インターベンショナル蛍光透視画像データを一時的に記憶する一時データバッファ１０と、インターベンション中に異常状態が生じたかどうかを検出し、異常状態が生じた瞬間を記録する信号プロセッサ２０と、異常状態が検出されると、以前に、及び／又は、記録された瞬間において一時的に記憶された医用インターベンショナル蛍光透視画像データの少なくとも一部を永久記憶する永久データストレージ３０とを含む。
2018518301.tif 000002
【特許請求の範囲】
【請求項１】
インターベンショナル治療中に医用画像データを記憶するための医用インターベンショナル撮像デバイスであって、
医用インターベンショナル蛍光透視画像データを一時的に記憶する一時データバッファと、
前記インターベンショナル治療において異常状態が生じたかどうかを検出し、前記異常状態が生じた瞬間を記録する信号プロセッサと、
前記異常状態が検出されると、以前に、及び／又は、記録された前記瞬間において記憶された前記一時的に記憶された医用インターベンショナル蛍光透視画像データの少なくとも一部を受信し、記憶する永久データストレージと、
を含む、医用インターベンショナル撮像デバイス。
【請求項２】
前記信号プロセッサは、所与のインターベンショナルサブ治療の予定時間から逸脱する前記所与のインターベンショナルサブ治療にかかった時間に基づいて、前記異常状態の発生を検出する、請求項１に記載の医用インターベンショナル撮像デバイス。
【請求項３】
前記信号プロセッサは、インターベンショナルデバイスの展開のない前記インターベンショナルデバイスの回収に基づいて、前記異常状態の発生を検出する、請求項１又は２に記載の医用インターベンショナル撮像デバイス。
【請求項４】
前記信号プロセッサは、インターベンショナルデバイスの繰り返される展開に基づいて、前記異常状態の発生を検出する、請求項１乃至３の何れか一項に記載の医用インターベンショナル撮像デバイス。
【請求項５】
前記信号プロセッサは、一次インターベンショナルデバイスを使用した後、別の二次インターベンショナルデバイスの使用に基づいて、前記異常状態の発生を検出する、請求項１乃至４の何れか一項に記載の医用インターベンショナル撮像デバイス。
【請求項６】
前記信号プロセッサは、前記インターベンショナル治療中に使用されるインターベンショナルデバイス又は前記医用インターベンショナル撮像デバイスのパラメータに基づいて、前記異常状態の発生を検出する、請求項１乃至５の何れか一項に記載の医用インターベンショナル撮像デバイス。
【請求項７】
前記信号プロセッサは、インターベンショナルデータに基づいて、前記異常状態の発生を検出する、請求項１乃至６の何れか一項に記載の医用インターベンショナル撮像デバイス。
【請求項８】
前記信号プロセッサは、
診断データの形式での、及び／又は、
前記インターベンション中に使用されるインターベンショナルデバイス若しくは前記医用インターベンショナル撮像デバイスのシステムデータの形式での
前記インターベンショナルデータに基づいて、前記異常状態の発生を検出する、請求項７に記載の医用インターベンショナル撮像デバイス。
【請求項９】
前記信号プロセッサは、インターベンショナル蛍光透視画像データに基づいて、前記異常状態の発生を検出する、請求項１乃至８の何れか一項に記載の医用インターベンショナル撮像デバイス。
【請求項１０】
前記永久データストレージは、ハードディスクデバイスである、請求項１乃至９の何れか一項に記載の医用インターベンショナル撮像デバイス。
【請求項１１】
請求項１乃至１０の何れか一項に記載の医用インターベンショナル撮像デバイスを含む医用データストレージシステム。
【請求項１２】
医療インターベンション中に医用インターベンショナル撮像デバイスを用いて医用インターベンショナル画像データを提供する方法であって、
医用インターベンショナル蛍光透視画像データを一時的に記憶するステップと、
前記医療インターベンションにおいて異常状態が生じたかどうかを検出し、前記異常状態が生じた瞬間を記録するステップと、
前記異常状態が検出されると、以前に、及び／又は、前記瞬間に記憶された前記一時的に記憶された医用インターベンショナル蛍光透視画像データの少なくとも一部を、永久データストレージに転送するステップと、
を含む、方法。
【請求項１３】
前記インターベンションにおいて異常状態が生じたかどうかを検出する前記ステップは、
所与のインターベンショナルサブ治療の予定時間から逸脱する前記所与のインターベンショナルサブ治療にかかった時間、
インターベンショナルデバイスの展開のない前記インターベンショナルデバイスの回収、
インターベンショナルデバイスの繰り返される展開、
一次インターベンショナルデバイスを使用した後の別の二次インターベンショナルデバイスの使用、及び／又は、
前記インターベンショナル治療中に使用されるインターベンショナルデバイス若しくは前記医用インターベンショナル撮像デバイスのパラメータ
のうちの１つ以上を評価するステップを含む、請求項１２に記載の方法。
【請求項１４】
前記インターベンション中に異常状態が生じたかどうかを検出する前記ステップは、インターベンショナルデータに基づいて、前記異常状態を検出するステップを含む、請求項１２又は１３に記載の方法。
【請求項１５】
コンピュータプログラムがコンピュータ上で実行されると、請求項１２乃至１４の何れか一項に記載の方法を行うプログラムコードを含む、コンピュータプログラム。
【発明の詳細な説明】
【技術分野】
【０００１】
本発明は、インターベンショナル医用撮像システムの分野に関する。具体的には、本発明は、インターベンショナル治療をモニタリングする医用インターベンショナル撮像デバイス、医用データストレージシステム及び対応する方法に関する。
【背景技術】
【０００２】
インターベンショナルＸ線撮像支援又はガイドされた医療インターベンションに使用されるシステムといった医療インターベンション中の撮像機能をサポート又は提供するシステムに、様々なストレージメカニズム及び様々なデータストレージストラテジが使用されている。これらのシステムにおいて、例えばアンギオグラフィから得られる画像といった診断に使用される高露光画像といった特定のデータのみが自動的に記憶される。
【０００３】
ライブデータ、例えばナビゲーション及びデバイス配置に使用される画像は、低線量画像、例えば蛍光透視法であり、これらの画像は、余分のストレージボリュームが必要となるので、通常、記憶されない。
【発明の概要】
【発明が解決しようとする課題】
【０００４】
インターベンショナル治療をモニタリングする医用インターベンショナル撮像デバイスを改良する必要がある。
【課題を解決するための手段】
【０００５】
この必要は、独立請求項の主題によって応えられる。更なる例示的な実施形態は、従属請求項及び以下の説明から明らかになる。
【０００６】
本発明は、インターベンショナル治療をモニタリングする医用インターベンショナル撮像デバイスに関する。医用インターベンショナル撮像デバイスは、医用インターベンショナル蛍光透視画像データを一時的に記憶する一時データバッファを含む。
【０００７】
医用インターベンショナル撮像デバイスは更に、インターベンション中に異常状態が生じたかどうかを検出し、異常状態が生じた瞬間を記録する信号プロセッサを含む。
【０００８】
更に、医用インターベンショナル撮像デバイスは、異常状態が検出されると、以前に、及び／又は、記録された瞬間において一時的に記憶された医用インターベンショナル蛍光透視画像データの少なくとも一部を受信し、記憶する永久データストレージを含む。
【０００９】
本発明によって使用される場合、「瞬間」との用語は、時間における一瞬、例えば時点を指し、例えば特定量のｍｓ又はμｓよりも短い時間（例えば１００ｍｓ未満、１０ｍｓ未満、１ｍｓ又は１００μｓの時間）といった短時間とも定義される。つまり、異常状態が検出されると、検出の瞬間の前の１００ｍｓから検出の瞬間までの時間において一時的に記憶された医用インターベンショナル蛍光透視画像データの少なくとも一部が、少なくとも部分的に永久記憶される。つまり、一時データストレージから永久データストレージに転送又はコピーされる。
【００１０】
本発明によって使用される場合、「一時的」又は「一時的に記憶される」との表現は、データをより永久的に記憶することとは対照的に、インターベンショナル治療中にデータを暫定的に記憶すること又は中間データ記憶を指す。これに関し、「永久」記憶は、少なくともインターベンショナル治療の完了後まで記憶することを意味するものと理解される。これにより、永久ストレージ内のインターベンショナル画像データを、後からレビュー及び解析することができる。
【００１１】
つまり、本発明は、蛍光透視ランに必然的に伴う余分なストレージデマンドを回避するために、例えば蛍光透視ランといったライブ画像記憶である適応及び条件付きデータ記憶を提供する。インターベンショナル治療が失敗する又は異常状態になる場合、永久データストレージに記憶された画像データによって、貴重な治療後解析が可能となる。
【００１２】
医療インターベンション中、公称状態又は計画状態からの任意の逸脱が検出されると、一時ストレージ内のストリーミングされ、バッファリングされた医用インターベンショナル蛍光透視画像データのすべて又は選択された部分が、永久ストレージに、好適には現在進行中のインターベンションに関する後続データのすべて又は選択された部分と共に転送される。
【００１３】
医療インターベンション中に生じる正常状態からの逸脱、即ち、異常状態は、行われた臨床ワークフローの解析と、行われた臨床ワークフローの計画又は予定臨床ワークフローとの比較とによって検出される。つまり、最初に、意図していたワークフローに関して、行われた臨床ワークフローにおいて任意の逸脱が生じたかどうかが決定され、生じた場合は、どのような種類に逸脱が生じたのかが決定される。次に、これらの逸脱が、インターベンショナル治療（のアウトカム）に重要であるかどうか、これらの逸脱がいつ又はどうして治療中に生じたか、また、どの蛍光透視画像が関連し、後のレビューのために永久保存されるべきであるかが決定される。
【００１４】
インターベンショナルコンテキストは、インターベンショナル治療に関連する幾つかの蛍光透視画像を割り当て、また、予定臨床ワークフローの逸脱を幾つかの蛍光透視画像に関連付け、これらは、より詳細にレビュー及び解析されるか、又は、より高い優先順位を有して記憶される。
【００１５】
永久記憶された材料は、例えば何がうまくいかなかったのか、即ち、どのエンティティがインターベンショナル治療中に失敗したのか、いつ当該エンティティがインターベンショナル治療中に失敗したのか、なぜ当該エンティティが失敗したのか、また、場合によっては、例えば将来のインターベンショナル治療である将来において、同様の状況をどのように解決するのかを決定するために、後の段階において、更には、インターベンション中に再生及び解析されることができる。
【００１６】
本発明の更なる第２の態様によれば、医用データストレージシステムが提供される。医用データストレージシステムは、本発明の第１の態様又は本発明の第１の態様の任意の実施態様形式による医用インターベンショナル撮像デバイスを含む。
【００１７】
本発明の更なる第３の態様によれば、医用インターベンショナル撮像デバイスを用いて医用インターベンショナル画像データを提供する方法が提供される。当該方法は、
医用インターベンショナル蛍光透視画像データを一時的に記憶するステップと、
インターベンションにおいて異常状態が生じたかどうかを検出し、異常状態が生じた瞬間を記録するステップと、
異常状態が検出されると、以前に、及び／又は、上記瞬間に一時的に記憶された医用インターベンショナル蛍光透視画像データの少なくとも一部を、永久データストレージに転送するステップとを含む。
【００１８】
つまり、異常状態が検出された場合に永久データストレージに送信される医用インターベンショナル蛍光透視画像データは、異常状態が検出される前にバッファリングされた医用インターベンショナル蛍光透視画像データを含む。この前に行われたバッファリングは、非永久バッファ内に一時的に記憶された医用インターベンショナル蛍光透視画像データを用いて行われている。
【００１９】
本発明の例示的な実施形態によれば、信号プロセッサは、所与のインターベンショナルサブ治療の予定期間から逸脱する上記所与のインターベンショナルサブ治療にかかった時間に基づいて、異常状態の発生を検出する。これは、患者のインターベンショナル治療の影響の予想及び解析を有利に提供する。つまり、信号プロセッサは、所与のインターベンショナルサブ治療の予定期間から逸脱する上記所与のインターベンショナルサブ治療にかかった時間を検出し、この検出に基づいて、異常状態が生じたかどうかを決定する。他のより一般的な表現では、信号プロセッサは、具体的な量を検出し、次に、信号プロセッサは、決定を出力する。
【００２０】
本発明によって使用される場合、「インターベンショナルサブ治療」との用語は、例えば胸骨を開くこと、恥骨上カテーテルの位置決め、又は、空洞の密封であるインターベンションの一部又は一ステップを指す。
【００２１】
本発明の例示的な実施形態によれば、信号プロセッサは、インターベンショナルデバイスの予定されていた展開が行われることなく当該インターベンショナルデバイスを回収することに基づいて、異常状態の発生を検出する。ここでも、より一般的な表現では、信号プロセッサは、格納するはずではなかった又は格納される計画ではなかった例えばステントであるインターベンショナルデバイスの格納といったイベントを検出する。この例では、永久ストレージ内に格納の対応する画像データと、任意選択的に、試みた展開の最終段階とがあることが、患者のインターベンショナル治療の失敗の潜在的な原因の解析を向上させるのに役立つ。
【００２２】
本発明の例示的な実施形態によれば、信号プロセッサは、インターベンショナルデバイスの繰り返される展開に基づいて、異常状態の発生を検出する。具体的な量とは、ここでは、インターベンショナルデバイスの展開の回数に相当する。インターベンショナルデバイスの展開の閾値が決められ、この閾値が超過されると、異常状態が示される。一例として、このような異常状態は、インターベンショナルデバイスが適切に展開されなかったことを示す。この例では、永久ストレージ内に、対応する画像データが利用可能であることが、インターベンショナル治療中に何がうまくいかなかったのかの正確な理解を得て、どのようにこれを回避できたのかを決定することを可能にするのに役立つ。
【００２３】
本発明の例示的な実施形態によれば、信号プロセッサは、一次インターベンショナルデバイスを使用した後の別の二次インターベンショナルデバイスの使用に基づいて、異常状態の発生を検出する。これは、患者のインターベンショナル治療の影響の予測及び解析を有利に提供する。
【００２４】
本発明の例示的な実施形態によれば、信号プロセッサは、インターベンショナル治療中に使用される医用インターベンショナル撮像デバイス、又は、更なるインターベンショナルデバイスのパラメータに基づいて、異常状態の発生を検出する。これは、患者のインターベンショナル治療の影響の予測及び解析を有利に提供する。更に、これは、インターベンショナル治療中に何がうまくいかなかったのかの正確な理解を提供し、また、どのようにこれを回避できたのかを決定することを可能にする。
【００２５】
本発明の例示的な実施形態によれば、Ｘ線撮像デバイスのパラメータは、Ｘ線アンギオグラフィの様々なアンギオグラフィック視野角、又は、Ｘ線アンギオグラフィ若しくはＸ線撮像に使用される分解能若しくはＸ線被ばく時間であってよい。
【００２６】
本発明によって使用される場合、「繰り返される展開」との表現は、特定の閾値を超える展開の回数を指す。例えば閾値は３回以上と設定され、デバイスが３回、展開されると、展開が繰り返されたとされる。
【００２７】
本発明によって使用される場合、「一次インターベンショナルデバイス」との用語は、特定の作業に使用されるインターベンショナルデバイスを指す。本発明によって使用される場合、「二次インターベンショナルデバイス」との用語は、一次インターベンショナルデバイスと同じ又は同様の作業に使用される別のインターベンショナルデバイスを指す。つまり、第２のインターベンショナルデバイスを使用することから、信号プロセッサは、一次インターベンショナルデバイスの展開がうまくいかなかったことを決定することができる。
【００２８】
インターベンショナルデバイスには、内視鏡、膀胱鏡、外科用器具、注射針又はカテーテルが含まれるが、これらに限定されない。
【００２９】
本発明の例示的な実施形態によれば、信号プロセッサは、インターベンショナルデータに基づいて、異常状態の発生を検出する。
【００３０】
本発明によって使用される場合、「インターベンショナルデータ」との用語は、患者の診断データ、又は、インターベンション中に使用されるデバイスの動作を説明する任意のデータを指す。
【００３１】
本発明の例示的な実施形態によれば、信号プロセッサは、
インターベンショナルデータの信号フィルタリング、
インターベンショナルデータの分類、及び／又は、
インターベンショナルデータのパターン認識に基づいて、異常状態を検出する。
【００３２】
これは、外科的処置及びインターベンショナル治療の品質管理を有利に提供する。
【００３３】
本発明によって使用される場合、「分類」との用語は、任意の種類のデータの効果的な解析を提供するためのデータの分類として定義される。
【００３４】
本発明によって使用される場合、「パターン認識」との用語は、データ内のパターン及び規則性の認識に注目する機械学習技術を指す。
【００３５】
本発明の例示的な実施形態によれば、信号プロセッサは、インターベンショナル蛍光透視画像データに基づいて、異常状態の発生を検出する。
【００３６】
本発明の例示的な実施形態によれば、信号プロセッサは、
インターベンショナル蛍光透視画像データの信号フィルタリング、
インターベンショナル蛍光透視画像データの分類、及び／又は、
インターベンショナル蛍光透視画像データのパターン認識に基づいて、異常状態を検出する。これは、インターベンショナル蛍光透視画像データにおいて検出可能となるため、患者のインターベンショナル治療の失敗の潜在的な原因の解析を有利に向上させる。
【００３７】
本発明の例示的な実施形態によれば、信号プロセッサは、診断データの形式での、又は、インターベンション中に使用される更なるインターベンショナルデバイス若しくは医用インターベンショナル撮像デバイスのシステムデータの形式でのインターベンショナルデータに基づいて、異常状態の発生を検出する。これも、インターベンショナル治療パフォーマンスの解析を有利に向上させる。
【００３８】
本発明の例示的な実施形態によれば、永久データストレージは、ハードディスクデバイスである。ハードディスクデバイスは、インターベンショナル蛍光透視画像データの少なくとも一部を永久記憶する。好都合なことに、これも、インターベンショナル治療パフォーマンスの解析を向上させる。
【００３９】
本発明の方法を行うコンピュータプログラムが、コンピュータ可読媒体に記憶される。コンピュータ可読媒体は、フロッピー（登録商標）ディスク、ハードディスク、ＣＤ、ＤＶＤ、ＵＳＢ（汎用シリアルバス）ストレージデバイス、ＲＡＭ（ランダムアクセスメモリ）、ＲＯＭ（読み出し専用メモリ）及びＥＰＲＯＭ（消去可能なプログラム可能な読み出し専用メモリ）である。コンピュータ可読媒体は更に、プログラムコードのダウンロードを可能にする例えばインターネットであるデータ通信ネットワークであってもよい。
【００４０】
本発明は、デジタル電子回路において、又は、コンピュータハードウェア、ファームウェア、ソフトウェア若しくはこれらの組み合わせにおいて、例えば医用デバイスの利用可能なハードウェア、又は、本明細書に説明される方法の処理専用の新しいハードウェアにおいて実現される。
【００４１】
本発明のこれらの及び他の態様は、以下に説明される実施形態から明らかとなり、また、当該実施形態を参照して説明される。
【図面の簡単な説明】
【００４２】
本発明のより完全な理解及びその付随する利点は、縮尺通りではない次の概略図を参照してより明確に理解されるであろう。
【００４３】
【図１】図１は、本発明の例示的な実施形態による医用インターベンショナル撮像デバイスの概略図を示す。
【図２】図２は、本発明の例示的な実施形態による医用データストレージシステムの概略図を示す。
【図３】図３は、本発明の例示的な実施形態による医用インターベンショナル撮像システムを用いて医用インターベンショナル画像データを提供する方法のフローチャート図の概略図を示す。
【発明を実施するための形態】
【００４４】
図面中の説明は、純粋に概要であり、拡大縮小関係又はサイズ情報を提供することを意図していない。様々な図面において、同様又は同一の要素には同じ参照符号が与えられている。一般に、同一の部品、ユニット、エンティティ又はステップには、説明において同じ参照符号が与えられている。
【００４５】
好都合なことに、異常事態が生じると、ライブデータを条件付きで記憶するメカニズムが提供される。これは、データボリュームの急増を回避し、うまくいかなかったインターベンションのみが考慮される一方で、異常インターベンションの完全なるライブデータ記憶を提供する。
【００４６】
医用インターベンショナル撮像デバイス１は、現在進行中の医療インターベンションの公称状態からの任意の逸脱が診断されると、揮発性ストレージに含まれるすべてのデータを、現在のインターベンションに関連するすべての後続のデータと共に、永久ストレージに転送又はコピーする。
【００４７】
ある実施例では、一時データバッファ１０の形式の揮発性ストレージ内に含まれるデータの一部のみが、永久的に記憶される。記憶された材料は、何がうまくいかなかったのか、どうしてうまくいかなかったのか、また、場合によっては、将来における同様の状況をどのように解決するかを決定するために、後の段階において又は例えば更にはインターベンション中に再生及び解析される。
【００４８】
医用インターベンショナル撮像デバイス１は、インターベンションプロトコルを改良することができる。具体的には、永久ストレージ内のデータに基づいて、前に行われたインターベンショナル治療において何がうまくいかなかったのかについてより深く理解できることにより、インターベンションプロトコルを改良することができる。
【００４９】
医用インターベンショナル撮像デバイス１は、大量のインターベンショナルデータから最も関連性のあるデータをフィルタリングし記憶する。
【００５０】
医用インターベンショナル撮像デバイス１は、所定のイベントが生じたときに、インターベンショナル画像を記憶する。所定のイベントは、インターベンショナル治療の異常状態に関連する。
【００５１】
医用インターベンショナル撮像デバイス１は、単一画像又は連続画像シーケンスの形式の最大数メガバイト又はギガバイトの大きいサイズの画像を記憶することが可能にされる。また、医用インターベンショナル撮像デバイス１は、インターベンショナル治療の特定の瞬間又は行為をレビューすることによって、インターベンショニストに情報を提供する。
【００５２】
図１は、本発明の例示的な実施形態による医用インターベンショナル撮像デバイス１の概略図を示す。
【００５３】
インターベンショナル治療をモニタリングする医用インターベンショナル撮像デバイス１は、一時データバッファ１０と、信号プロセッサ２０と、永久データストレージ３０とを含む。
【００５４】
インターベンショナル治療をモニタリングするための医用インターベンショナル撮像デバイス１は、インターベンショナル治療をモニタリングするように構成される。インターベンショナル治療のモニタリングには、展開されたデバイスのパラメータのすべて又は少なくとも所定の部分と、利用可能であるならば、診断データのすべて又は少なくとも所定の部分とをモニタリングすることが含まれる。
【００５５】
インターベンショナル治療をモニタリングする医用インターベンショナル撮像デバイス１は、Ｘ線撮像デバイス、超音波撮像デバイス、又は、インターベンショナル治療中に画像データとして画像情報を提供する撮像デバイスであってよい。
【００５６】
一時データバッファ１０は、医用インターベンショナル蛍光透視画像データ又は画像データを一時的に記憶する。医用インターベンショナル画像データは、蛍光透視撮像デバイスによって、インターベンショナル治療中に記録される。
【００５７】
信号プロセッサ２０は、インターベンションにおいて異常状態が生じたかどうかを検出し、異常状態が生じた瞬間を記録する。更に、信号プロセッサ２０は、異常状態が生じた時刻を記録する。異常状態とは、インターベンショナル治療自体（例えばワークフロー又はスケジュールからの逸脱）、又は、インターベンショナル治療中に使用される任意のデバイス（例えば当該デバイスの展開の失敗又は準最適な展開）を指す。
【００５８】
永久データストレージ３０は、一時的に記憶された医用インターベンショナル蛍光透視画像データの少なくとも一部、つまり、そのすべて又は一部を記憶する。このために、信号プロセッサ２０が異常状態を検出すると、画像データは、一時データバッファ１０から、画像データを受信するように構成されている永久データストレージ３０に転送される。医用インターベンショナル蛍光透視画像データは、以下において、インターベンショナル蛍光透視画像データ又は画像データとも呼ばれる。
【００５９】
インターベンショナル蛍光透視画像データの永久記憶は、異常状態が検出されると、記録された瞬間において行われ、以前に及び／又は記録された瞬間に記憶された一時的に記憶された画像データが永久保存される。一時データバッファ１０から永久データストレージ３０への医用インターベンショナル蛍光透視画像データのデータ送信は、図１の矢印によって示されるように行われる。
【００６０】
本発明の例示的な実施形態によれば、信号プロセッサ２０は、インターベンショナルデータに基づいて、異常状態の発生を検出する。
【００６１】
インターベンショナルデータは、患者の診断データ、又は、デバイス（例えば医用インターベンショナル撮像デバイス１のインターベンション中に使用されるインターベンショナルデバイス又は展開される任意の他のインターベンショナルデバイス）のステータス若しくは動作を説明する任意のデータを含む。
【００６２】
本発明の例示的な実施形態によれば、信号プロセッサ２０は、所与のインターベンショナルサブ治療の予定時間から逸脱する当該インターベンショナルサブ治療にかかった時間に基づいて、異常状態の発生を検出する。
【００６３】
これは、インターベンショナル治療をモニタリングする医用インターベンショナル撮像デバイス１によってインターベンショナルコンテキストが事前に分かっている場合に提供される。特定のインターベンショナルコンテキストの様々な種類のサブ治療が医用インターベンショナル撮像デバイス１によって規定され、これらのサブ治療にかかる予想時間は、インターベンショナル治療をモニタリングする医用インターベンショナル撮像デバイス１によって予め決定されていてよい。
【００６４】
本発明の例示的な実施形態によれば、信号プロセッサ２０は、撮像システムパラメータ（例えばＣアーム取得形状、位置）に基づいて、デバイスに固有の検出に基づいて、又は、蛍光透視画像におけるインターベンショナルデバイスの「状態」（例えば弁が展開している又は展開していない）に基づいて、異常状態の発生を検出する。信号プロセッサ２０は更に、蛍光透視画像の分類を続けて行う。
【００６５】
本発明の例示的な実施形態によれば、信号プロセッサ２０は、インターベンショナルデバイスが展開されることなく当該インターベンショナルデバイスが回収されることに基づいて、異常状態の発生を検出する。本発明の例示的な実施形態によれば、インターベンショナルデバイスは、ステント、任意の種類の人工弁若しくはコイル、又は、別のデバイスであってよい。
【００６６】
本発明の例示的な実施形態によれば、信号プロセッサ２０は、インターベンショナルデータ又は医用インターベンショナル蛍光透視画像データのフィルタリング若しくはパターン認識アルゴリズムを介するローレベルフィルタリング及び／又はデバイス固有の検出に基づいて、異常状態を検出する。
【００６７】
本発明の例示的な実施形態によれば、信号プロセッサ２０は、インターベンショナルデバイスの繰り返される展開に基づいて、異常状態の発生を検出する。
【００６８】
インターベンショナルデバイスの繰り返される展開は、その存在又は起動が第１のインターベンショナルデバイスの展開毎に必要とされる別の第２のインターベンショナルデバイスによっても検出される。
【００６９】
本発明の例示的な実施形態によれば、繰り返される展開は、例えばインターベンショナルコンテキストであるインターベンショナル治療のより高いレベルのモデルも必要とする。例えばインターベンショナル治療のモデル化は、インターベンショナルデバイスの展開状態と非展開状態とを区別することを含む。これらのモデルは、ローレベル画像フィルタリング及び／又は機械学習技術から生じる。
【００７０】
本発明の例示的な実施形態によれば、信号プロセッサ２０による異常状態の検出のために、一次インターベンショナルデバイスを使用した後の別の第２のインターベンショナルデバイスの使用が考慮される。
【００７１】
本発明の例示的な実施形態によれば、信号プロセッサ２０は、インターベンショナル治療中に使用されるインターベンショナルデバイス又は医用インターベンショナル撮像デバイスのパラメータに基づいて、異常状態を検出する。
【００７２】
インターベンショナルデバイスのパラメータは、バイタルサインのパラメータである。インターベンショナルデバイスは、一体化されたセンサ（例えば圧力カテーテル）を有するデバイスであってよい。この場合、パラメータは、血圧である。インターベンショナルデバイスのパラメータは、計画されていない又は異常なＣアームパラメータであってもよい。
【００７３】
信号プロセッサ２０によって行われる異常検出の一例として、以下の手順を提示する。
【００７４】
経カテーテル大動脈弁移植（略してＴＡＶＩ）治療中、移植される弁の展開がモニタリングされる。弁傍逆流を回避し、患者の安全なアウトカムを確実とするために、弁の正確な位置決めが重要である。
【００７５】
人工弁は、正確に位置決めされると、最大で４０秒の数秒以内に特定のモードで展開される。展開後、インターベンショニストは、造影剤を用いて追加のアンギオグラフィを行い、大動脈基部に対する弁の最終位置を評価する。
【００７６】
当該位置が、計画されていた位置から、例えば５ミリメートル、２ミリメートル又は０．５ミリメートルの閾値よりも多く異なる場合、インターベンショニストは、第１の人工器官内に第２の人工器官を移植するか、又は、（デバイスの選択によって、再位置決めが可能である場合）現在のデバイスの位置を補正することを決定する。したがって、位置は、最初に視覚的に評価される。明確な兆候がない場合、血圧を測定するカテーテルが２回目において使用される。
【００７７】
信号プロセッサ２０によって行われる異常状態検出の更なる例として、信号プロセッサ２０は、異常弁展開を検出する。異常弁展開の検出は、制限時間内でペースメーカが起動されることで初めて行うことができる。これは、治療のインターベンショナルコンテキストが分かっている場合に可能である。
【００７８】
異常弁展開の検出は、信号プロセッサ２０によって、以下の点から検出される。
−展開に異常に長い時間が必要となる場合。これは、信号プロセッサ２０によって、展開されるインターベンショナルデバイスのパラメータ（例えばペースメーカ信号）をモニタリングすることによって検出される。
−例えば蛍光透視画像内の弁を検出し（ローレベルフィルタ及びテンプレートマッチングアルゴリズム）、その幅がどのように展開するかを確認することによって、信号プロセッサ２０によって、同じ弁の幾つかの展開が検出される場合。エドワード・サピエンスＸＴ弁の場合、バルーンの複数回の膨張も信号プロセッサ２０によって考慮される。これは弁の展開に必須である。
−第２の弁が、第１の弁内に展開される場合。これは、幾つかの人工器官が蛍光透視画像内で特定されると、信号プロセッサ２０によって検出される。及び／又は、
−圧力カテーテルからの測定値が、弁傍逆流の存在を示す場合。これは、信号プロセッサ２０によって検出される。
【００７９】
「異常弁展開」イベントが信号プロセッサ２０によって検出されると、医用インターベンショナル撮像デバイス１によって、次の後続動作が行われる。
【００８０】
医用インターベンショナル撮像デバイス１は、信号プロセッサ２０によって異常弁展開イベントが検出されると、一時データバッファ１０内にある蛍光透視画像のすべて又は少なくとも一部を、永久データストレージ３０内に入れる。
【００８１】
本発明の例示的な実施形態によれば、インターベンショナル治療をモニタリングする医用インターベンショナル撮像デバイス１は、一時データバッファ１０の形式の一時バッファ内にある蛍光透視画像の一部のみを永久記憶する。これは、すべてのデータが弁展開段階に関連するわけではないからである。
【００８２】
本発明の例示的な実施形態によれば、医用インターベンショナル撮像デバイス１は、どのようなタイプの異常状態が検出されたかが分かることにより、最近のＸ分間について、この特定の異常状態に関連するデータを永久記憶する。例えば異常状態が検出されるまでの最後の３分間又は異常状態が検出されるまでの最後の２０秒間について、この特定の異常状態に関連する医用インターベンショナル蛍光透視画像が永久記憶される。
【００８３】
本発明の例示的な実施形態によれば、医用インターベンショナル撮像デバイス１は、どのようなタイプの異常状態が検出されたかが分かることにより、同じ角度／位置に位置決めされたＣアームシステムを用いて取得された蛍光透視画像の形式のデータを永久記憶する（インターベンショニストが全体の配置／展開のために単一のＣアーム位置を使用することは一般的である）。
【００８４】
更に、治療の残りの部分について、医用インターベンショナル撮像デバイス１は、一時ストレージをバイパスし、すべてのこれからの蛍光透視画像を永久ストレージ３０に直接送ってもよい。
【００８５】
診断データは、心電図記録法（略してＥＣＧ又はＥＫＧ）、即ち、患者の身体上に置かれた電極を使用してある期間に亘って心臓の電気活動を記録する処理からのデータを含む。ＥＣＧ又はＥＫＧデータは、異常状態を反映する。
【００８６】
診断データは、インターベンショナル治療中に記録された患者のバイタルサインを含む。
【００８７】
本発明によって使用される場合、「バイタルサイン」との用語は、身体の基本機能を測定するために使用される任意のパラメータを指す。これらの測定値は、人の健康状態全般の評価に役立つように使用され、可能な病気の手がかりを与え、また、回復の進捗を示す。人のバイタルサインの正常範囲は、年齢、体重、性別及び全体の健康状態によって異なる。
【００８８】
バイタルサインの例としては、体温、血圧、脈拍又は心拍数及び呼吸数（呼吸速度とも呼ばれる）が含まれるが、これらに限定されない。
【００８９】
本発明の例示的な実施形態によれば、一時データバッファ１０は、例えばＲＡＭドライブの形式の揮発性ストレージである。揮発性ストレージとは、記憶情報を維持するために電力を使用するコンピュータメモリである。
【００９０】
本発明の例示的な実施形態によれば、永久データストレージ３０のサイズは、インターベンショナル治療に必要な時間に適応される。
【００９１】
本発明の例示的な実施形態によれば、永久データストレージ３０は、例えば医用インターベンショナル蛍光透視画像データであるデジタル情報を記憶するために使用される電子フラッシュメモリデータストレージデバイスの形式のメモリカード又はフラッシュカードである。
【００９２】
本発明の例示的な実施形態によれば、信号プロセッサ２０は、所与のインターベンショナルサブ治療の予定時間から逸脱する当該インターベンショナルサブ治療にかかった時間に基づいて、異常状態の発生を検出する。
【００９３】
更に、信号プロセッサ２０は、インターベンショナルデバイスが展開されることなく当該インターベンショナルデバイスが回収されることに基づいて、インターベンショナルデバイスの繰り返される展開に基づいて、一次インターベンショナルデバイスを使用した後の別の二次インターベンショナルデバイスの使用に基づいて、又は、医用インターベンショナル撮像デバイス１のパラメータに基づいて、異常状態の発生を検出する。
【００９４】
つまり、医用インターベンショナル撮像デバイス１は、インターベンションプロトコルを改良するために、特に、前のインターベンションにおいて何がうまくいかなかったのかをより深く理解するために、情報を提供し、必要な情報を記憶する。
【００９５】
本発明の例示的な実施形態によれば、医用インターベンショナル撮像デバイス１は、大量のインターベンショナル画像データ又はインターベンショナル蛍光透視画像データから、最も関連のあるデータをフィルタリングして記憶し、当該最も関連のあるデータは、関連性の所定の閾値よりも関連性のあるデータによって表されると決定される。つまり、関連性値が取得データに割り当てられる。
【００９６】
本発明の例示的な実施形態によれば、インターベンショナル治療をモニタリングする医用インターベンショナル撮像デバイス１は、所定のイベントが生じたときに、インターベンショナル画像を記憶する。当該所定のイベントは、例えば患者、インターベンショナル治療又はインターベンショナル治療中若しくはインターベンショナル治療に使用される任意のインターベンショナルデバイスに関連するインターベンショナル治療の異常事態に関連する。
【００９７】
図２は、本発明の例示的な実施形態による医用データストレージシステムの概略図を示す。
【００９８】
本発明の例示的な実施形態によれば、医用データストレージシステム２００は、医用インターベンショナル撮像デバイス１を含む。
【００９９】
本発明の例示的な実施形態によれば、医用データストレージシステム２００は、Ｘ線医用撮像システム、超音波医用撮像システム又は内視鏡システムに関連して使用される。
【０１００】
本発明の例示的な実施形態によれば、更なる医療インターベンション治療支援システムも、余分のストレージボリュームが伴うことによりライブデータストレージが制限される医用インターベンショナル撮像デバイス１に関連して使用される。
【０１０１】
インターベンショナル治療をモニタリングする医用撮像デバイス１は、医用撮像ワークステーション又はＸ線医用撮像システムである。
【０１０２】
図３は、本発明の例示的な実施形態による医用インターベンショナル撮像システムを用いて医用インターベンショナル画像データを提供する方法のフローチャート図の概略図を示す。
【０１０３】
医用インターベンショナル撮像システムを用いて医用インターベンショナル画像データを提供する方法は、次のステップを含む。
【０１０４】
方法の第１のステップａ）として、医用インターベンショナル蛍光透視画像データの一時記憶が行われる（Ｓ１）。
【０１０５】
方法の第２のステップｂ）として、インターベンション中に異常状態が生じたかどうかを検出し、当該状態が生じた瞬間を記録することが行われる（Ｓ２）。
【０１０６】
方法の第３のステップｃ）として、異常状態が検出されると、以前に、及び／又は、上記瞬間において一時的に記憶された医用インターベンショナル蛍光透視画像データの永久データストレージへの送信が行われる（Ｓ３）。
【０１０７】
なお、本発明の実施形態は、様々な主題を参照して説明されていることに留意されたい。具体的には、方法クレームを参照して説明されている実施形態もあれば、装置クレームを参照して説明されている実施形態もある。
【０１０８】
しかし、当業者であれば、上記説明から、特に明記されない限り、１つのタイプの主題に属する特徴の任意の組み合わせに加え、異なる主題に関連する特徴間の任意の組み合わせも本願に開示されていると見なされることは理解できるであろう。しかし、すべての特徴は、これらの特徴を単にまとめたもの以上の相乗効果を提供するように組み合わせられる。
【０１０９】
本発明は、図面及び上記説明において詳細に例示及び説明されたが、当該例示及び説明は、例示であって、限定と解釈されるべきではない。本発明は、開示された実施形態に限定されない。開示された実施形態の変形態様は、図面、開示内容及び添付の請求項の検討から、請求項に係る発明を実施する当業者によって理解され、実施される。
【０１１０】
請求項において、「含む」との用語は、他の要素又はステップを除外するものではなく、また、「ａ」又は「ａｎ」との不定冠詞も、複数形を除外するものではない。単一のプロセッサ、コントローラ又は他のユニットが、請求項に記載される幾つかのアイテムの機能を果たしてもよい。特定の手段が相互に異なる従属請求項に記載されることだけで、これらの手段の組み合わせを有利に使用することができないことを示すものではない。請求項における任意の参照符号は、範囲を限定するものと解釈されるべきではない。
【図１】
2018518301.tif 000003
【図２】
2018518301.tif 000004
【図３】
2018518301.tif 000005
【国際調査報告】
2018518301.tif 000006
2018518301.tif 000007
2018518301.tif 000008